(57)【要約】【課題】鴨居溝の内側面と建具の上端部の凸部側面との間隙に可撓部や緩衝材などを挿入せずに、長期間にわたって建具のガタツキを防止することができる建具のガタツキ防止用具を提供すること。【解決手段】可撓性樹脂からなり、建具の上端部の上面に取り付けられる建具のガタツキ防止用具１であって、建具の上端部の上面に取り付けるための取付け部２と、前記取付け部２を中心として対向し、鴨居溝の内側面に摺動自在に当接する一対の円弧状可撓部３とを有し、円弧状可撓部３の底面が建具の上端部の上面に配設されるように取付け部２および円弧状可撓部３が一体成形されてなり、一対の円弧状可撓部３の両端間の距離が鴨居溝の幅よりも大となるように設定されてなる建具のガタツキ防止用具。【選択図】図１
2008050930.tif 000002
【特許請求の範囲】
【請求項１】
可撓性樹脂からなり、建具の上端部の上面に取り付けられる建具のガタツキ防止用具であって、建具の上端部の上面に取り付けるための取付け部と、前記取付け部を中心として対向し、鴨居溝の内側面に摺動自在に当接する一対の円弧状可撓部とを有し、円弧状可撓部の底面が建具の上端部の上面に配設されるように取付け部および円弧状可撓部が一体成形されてなり、一対の円弧状可撓部の両端間の距離が鴨居溝の幅よりも大となるように設定されてなる建具のガタツキ防止用具。
【請求項２】
取付け部と円弧状可撓部との間に可撓性および屈曲性を有する屈曲部を有し、円弧状可撓部および屈曲部の各底面が建具の上端部の上面に配設されるように一体成形されてなる請求項１記載の建具のガタツキ防止用具。
【発明の詳細な説明】
【技術分野】
【０００１】
本発明は、建具のガタツキ防止用具に関する。さらに詳しくは、例えば、障子、襖などの引戸式の建具に好適に使用しうる建具のガタツキ防止用具に関する。
【背景技術】
【０００２】
わが国では、ふるくから住宅に障子や襖などの引戸式の建具が使用されているが、近年、和洋折衷の建築様式が採用されるようになり、和室と洋室との間仕切り扉に、和室側に和風調の襖の意匠を有し、洋室側に洋風の壁紙などが貼り付けられた洋風の意匠を有する戸襖と呼ばれる引戸式の建具が一般的に使用されている。
【０００３】
引戸式の建具は、その上部が鴨居溝（建具を嵌め込むための鴨居の溝を意味する。以下同じ）に嵌め込められ、下部が敷居の溝に嵌め込められている。鴨居溝と嵌め込められる建具の上端部の凸部との間には、建具の取り外しおよび開閉が容易となるようにするために、通常、側面方向に１ｍｍ程度のクリアランスが設けられ、上部方向に５ｍｍ程度のクリアランスが設けられている。
【０００４】
しかし、近年、住宅の省エネルギー対策の一環として、高断熱化、高気密化などによる冷暖房の効率化が進み、高気密化に伴う各部屋間の気圧の差によって種々の問題が発生している。
【０００５】
その一例として、洋室、リビングルーム、化粧室、洗面所などには、一般に、引戸式の扉ではなく、蝶番を利用した片開き式の扉が使用されているが、扉を開閉したときに瞬間的に建物内の部屋間で気圧差が発生するため、部屋を仕切っている戸襖や障子などの引戸式の建具の上部と鴨居溝との間に設けられているクリアランスによってガタツキ音が発生し、静かな深夜などに就寝者が目を覚ますおそれがある。
【０００６】
また、障子や襖などの引戸式の建具を長期間使用していると、鴨居溝の内面および引戸式建具の上端部の凸部側面が摩耗し、両者間のクリアランスが大きくなり、風が軽く吹くなどの空気の移動があるだけで建具と鴨居溝との間でガタツキ音が発生することがある。
【０００７】
そこで、建具のガタツキを防止するために、取付部と可撓部とからなり、可撓部が鴨居溝の内側面と摺動するように当接され、側面から受ける力で撓むように構成されたガタツキ防止具が提案されている（例えば、特許文献１参照）。
【０００８】
しかし、このガタツキ防止具は、鴨居溝の内側面と建具の上端部の凸部側面との間隙に可撓部を挿入するものであるため、通常、１ｍｍ程度以下となるように設定されている鴨居溝の内側面と建具の上端部の凸部側面との間隙に可撓部を挿入したとき、可撓部の弾性によって鴨居溝の内側面が押圧され、鴨居溝の内側面と可撓部との間で生じる摩擦力によって建具の動きが悪くなるおそれがある。さらに、鴨居や建具が変形した場合、その変形量がごくわずかであっても鴨居溝の内側面で可撓部が摺動しがたくなるため、建具のスライドが困難となるおそれがある。
【０００９】
また、このガタツキ防止具では、その可撓部の材質が具体的に明らかにされていないが、鴨居溝の内側面と建具の上端部の凸部側面との狭い間隙に可撓部を挿入することができるようにし、なおかつある程度の機械的強度と弾性を可撓部に付与せんとするのなら、可撓部として薄板状の金属片を使用する必要がある。しかし、可撓部として金属片を使用した場合には、鴨居溝の内側面の摩耗が生じ、建材そのものを傷めるおそれがある。
【００１０】
他の建具のガタツキを防止するための手段として、鴨居溝の内側面と引き戸の上端部の凸部側面との間隙を埋めるために、鴨居溝の内側面または引き戸の上端部の凸部側面に、緩衝材が設けられた建具のガタツキ防止構造が提案されている（例えば、特許文献２参照）。
【００１１】
しかし、このガタツキ防止構造は、ただ単に鴨居溝の内側面と引き戸の上端部の凸部側面との間隙を緩衝材で埋めるものである。したがって、このガタツキ防止構造は、引き戸を長期間使用している間に鴨居溝の内側面と引き戸の上端部の凸部側面とのクリアランスが摩耗によって大きくなり、風が軽く吹くなどの空気の移動があるだけで建具と鴨居溝との間でガタツキ音が発生するようになるため、長期間の使用に耐えうるものではない。
【００１２】
建具の上端面に取り付けられる引き戸の案内装置として、弾性を有する変形可能な円盤を、引き戸の上端部の上面（上端面）に軸心を上下方向にして回動可能に枢着するとともに、円盤を鴨居溝にほぼ遊びがない状態となるように嵌挿した案内装置が提案されている（例えば、特許文献３参照）。
【００１３】
しかし、この案内装置には、変形可能な円盤が使用されているが、その形状が円盤状であることから屈曲しがたいため、鴨居溝の内面と円盤との間にクリアランスを設けておかなければ引き戸を鴨居溝にはめ込むことができない。したがって、この案内装置では、当初からある程度のクリアランスを必要とするため、使用開始当初からガタツキ音を完全には防止することができない。さらに、この案内装置には、引き戸を長期間使用している間に鴨居溝の内側面と円盤の外周面とのクリアランスが摩耗によって大きくなるため、ガタツキ音がより一層大きくなるという欠点がある。
【００１４】
【特許文献１】特開平１１−２２２９３号公報
【特許文献２】特開平１１―３０３５２０号公報
【特許文献３】特開２００２−４６９９号公報
【発明の開示】
【発明が解決しようとする課題】
【００１５】
本発明は、前記従来技術に鑑みてなされたものであり、鴨居溝の内側面と建具の上端部の凸部側面との間隙に可撓部や緩衝材などを挿入せずに、長期間にわたって建具のガタツキを防止することができる建具のガタツキ防止用具を提供することを課題とする。
【課題を解決するための手段】
【００１６】
本発明は、
（１）可撓性樹脂からなり、建具の上端部の上面に取り付けられる建具のガタツキ防止用具であって、建具の上端部の上面に取り付けるための取付け部と、前記取付け部を中心として対向し、鴨居溝の内側面に摺動自在に当接する一対の円弧状可撓部とを有し、円弧状可撓部の底面が建具の上端部の上面に配設されるように取付け部および円弧状可撓部が一体成形されてなり、一対の円弧状可撓部の両端間の距離が鴨居溝の幅よりも大となるように設定されてなる建具のガタツキ防止用具、および
（２）取付け部と円弧状可撓部との間に可撓性および屈曲性を有する屈曲部を有し、円弧状可撓部および屈曲部の各底面が建具の上端部の上面に配設されるように一体成形されてなる前記（１）記載の建具のガタツキ防止用具
に関する。
【発明の効果】
【００１７】
本発明の建具のガタツキ防止用具は、従来のような鴨居溝の内側面と建具の上端部の凸部側面との間隙に可撓部や緩衝材などを挿入するものではないため、鴨居や建具が変形した場合であっても、建具のスライドを円滑に行うことができるという効果を奏する。
【００１８】
さらに、本発明の建具のガタツキ防止用具が有する一対の円弧状可撓部の両端間の距離が鴨居溝の幅よりも大きいので、本発明の建具のガタツキ防止用具を鴨居溝に挿入する際に円弧状可撓部が軽く屈曲して変形するが、元の形状に戻ろうとする復元力を有するので、鴨居溝の内側面が摩耗した場合であっても、その復元力によって鴨居溝とのあいだで隙間が生じがたいことから、長期間にわたって建具のガタツキを防止するという優れた効果を奏する。
【００１９】
また、本発明の建具のガタツキ防止用具には、可撓性樹脂が使用されているので、成形によってその量産が可能であることから製造コストの低減を図ることができ、ひいては安価で入手が容易であるという効果も奏される。
【００２０】
このように、本発明の建具のガタツキ防止用具は、入手が容易であり、住宅に使用される障子、襖、戸襖などの引き戸に見られる鴨居との接合部のガタツキによる不快音を長期間にわたって防止するので、快適な居住環境を提供することに大きく貢献するものである。
【発明を実施するための最良の形態】
【００２１】
以下、本発明の建具のガタツキ防止用具の好適な実施態様を図面に基づいて説明するが、本発明は、かかる実施態様のみに限定されるものではない。
【００２２】
図１および図２は、それぞれ、本発明の建具のガタツキ防止用具１の一実施態様を示す概略平面図である。
【００２３】
本発明の建具のガタツキ防止用具１は、可撓性樹脂で構成される。したがって、本発明の建具のガタツキ防止用具１は、軽く屈曲して変形しても元の形状に戻ろうとする復元力を有する。なかでも、本発明の建具のガタツキ防止用具１の材料として、熱可塑性の可撓性樹脂を用いた場合には、例えば、射出成形などによって大量生産が可能であるのみならず、安価で高精度を有する建具のガタツキ防止用具１を提供することができる。
【００２４】
熱可塑性の可撓性樹脂としては、摺動性、耐摩耗性および靭性に優れていることから、ポリエチレン、ポリプロピレン、ポリアセタール、塩化ビニル樹脂およびナイロンに代表されるポリアミドが好ましく、ポリプロピレン、ポリアセタールおよびポリアミドがより好ましく、ポリアセタールがさらに好ましい。
【００２５】
図１および図２に示される建具のガタツキ防止用具１では、それぞれ、取付け部２および円弧状可撓部３の各底面が建具の上端部の上面に配設されるように一体成形されている。
【００２６】
また、図２に示される建具のガタツキ防止用具１では、取付け部２と円弧状可撓部３との間に可撓性および屈曲性を有する屈曲部４を有し、取付け部２、円弧状可撓部３および屈曲部４の各底面が建具の上端部の上面に配設されるように一体成形されている。
【００２７】
このように、本発明の建具のガタツキ防止用具１には、各部材の底面がいずれも建具の上端部の上面に配設されるように一体成形されている点に、１つの大きな特徴がある。
【００２８】
本発明の建具のガタツキ防止用具１は、従来のような鴨居溝の内側面と建具の上端部の側面との間隙に取り付けられるのではなく、建具の上端部の上面に取り付けられるものである。したがって、本発明の建具のガタツキ防止用具１は、鴨居溝の内側面と建具の上端部の側面との間隙が狭い場合や鴨居や建具が変形した場合であっても、建具のスライドを円滑に行うことができるという利点を有する。
【００２９】
取付け部２は、本発明の建具のガタツキ防止用具１を建具の上端部の上面に取り付けるためのものである。
【００３０】
図１および図２に示される建具のガタツキ防止用具１では、取付け部２には、ガタツキ防止用具１を建具の上端部の上面に取り付けるための取付け溝５ａが設けられている。
【００３１】
図１および図２に示される態様では、取付け溝５ａの数は２個であるが、本発明は、取付け溝５ａの数によって特に限定されるものではない。取付け溝５ａの数は、通常、１〜４個であることが好ましい。なお、取付け溝５ａの数が１個である場合には、建具のガタツキ防止用具１がその取付け溝５ａを中心にして回転し、鴨居溝に建具の上端部を挿入するときに支障をきたす可能性があり、また取付け溝５ａの数が多い場合には、その取り付けが煩雑となるようになる。したがって、取付け溝５ａの数は、本発明の建具のガタツキ防止用具１を確実に固定することができるようにするとともに、本発明の建具のガタツキ防止用具１を建具の上端部に容易に取り付けることができるようにする観点から、２〜４個であることがより好ましく、２〜３個であることがより一層好ましく、２個であることがさらに好ましい。
【００３２】
取付け溝５ａは、建具のガタツキ防止用具１の表面から裏面に至るまで貫通した貫通孔であってもよく、その表面に凹部が形成されているが貫通していない溝であってもよい。取付け溝５ａの開口部の直径は、建具のガタツキ防止用具１を取り付けるための固定具の種類などに応じて適宜決定すればよく特に限定されないが、通常、１〜４ｍｍ程度、好ましくは１．５〜３ｍｍ程度であればよい。固定具としては、例えば、釘、螺子などが挙げられる。
【００３３】
本発明の建具のガタツキ防止用具１は、建具の上端部の上面に載置し、その取付け溝５ａを介して固定具で建具に固定するだけで容易に取り付けることができる。
【００３４】
また、図１示される建具のガタツキ防止用具１のように取付け部２に取付け溝５ａを配設するのではなく、図３に示されるように、取付け部２の下面に取付け用突起５ｂが配設されていてもよい。図３は、本発明の建具のガタツキ防止用具１の他の実施態様を示す概略説明図である。
【００３５】
図３に示される建具のガタツキ防止用具１では、取付け用突起５ｂを建具６の上端部の上面７に配設された建具のガタツキ防止用具１の取付け用孔７ａに挿入することにより、建具のガタツキ防止用具１を建具６に固定することができる。なお、取付け用孔７ａは、貫通孔であってもよく、あるいは貫通していない孔であってもよい。
【００３６】
取付け用突起５ｂの先端部の形状は、図３に示されるように、楔形であってもよく、あるいは平面形状であってもよいが、建具６からの離脱を防止する観点から、楔形であることが好ましい。取付け用突起５ｂは、ガタツキ防止用具１の取付け用孔７ａに装着し、固定することができるようにするために、通常、取付け部２に２〜４ヵ所程度設けることが好ましく、２ヵ所設けることがより好ましい。
【００３７】
取付け部２の幅ａは、取付け溝５ａや取付け用突起５ｂの大きさなどに応じて適宜決定すればよく、特に限定されないが、通常、１．５〜１０ｍｍ程度、好ましくは３．５〜８ｍｍ程度であればよい。
【００３８】
図１および図２において、取付け部の長さｂは、取付け溝５ａおよび取付け用突起５ｂの大きさや取付け溝５ａの数、図３に示されるガタツキ防止用具にあっては取付け用突起５ｂの幅などによって異なるので一概には決定することができないが、通常、好ましくは１０〜１００ｍｍ程度、より好ましくは１５〜５０ｍｍ程度、さらに好ましくは２０〜４０ｍｍ程度である。
【００３９】
図１に示される建具のガタツキ防止用具１では、取付け部２と円弧状可撓部３とが直接接続され、一体化されている。取付け部２と円弧状可撓部３とは、機械的強度を高める観点から、一体成形されていることが好ましい。
【００４０】
また、図１に示される建具のガタツキ防止用具１では、円弧状可撓部３の一端が取付け部２と一体化されており、他端が開放状態にある。したがって、このガタツキ防止用具１を鴨居溝に挿入する際には、円弧状可撓部３が容易に変形するのみならず、円弧状可撓部３と取付け部２との境界部分も軽く屈曲して変形する。このことから、円弧状可撓部３および屈曲して変形した円弧状可撓部３と取付け部２との境界部分は、いずれも、元の形状に戻ろうとする復元力を有するので、鴨居溝の内側面が摩耗した場合であっても、それらの復元力によってガタツキ防止用具１と鴨居溝との間に間隙が生じるのが防止されるため、長期間にわたって建具のガタツキを防止することができる。
【００４１】
ガタツキ防止用具１に設けられている一対の円弧状可撓部３の両端間の距離（以下、ガタツキ防止用具１の全幅ともいう）ｄは、より具体的には、ガタツキ防止用具１に設けられている２つの円弧状可撓部３の鴨居溝の内側面と当接する部分における間隔を意味する。ガタツキ防止用具１の全幅ｄは、長期間の使用によって鴨居溝の内側面が摩耗した場合であってもガタツキを防止するために、鴨居溝の幅よりも大きくなるように設定されている。
【００４２】
ガタツキ防止用具１の全幅ｄと鴨居溝の幅との差は、ガタツキ防止用具１の変形寸法に相当する。ガタツキ防止用具１の全幅ｄと鴨居溝の幅との差は、長期間の使用によって鴨居溝の内側面が摩耗した場合であってもガタツキを防止する観点から、好ましくは０．５ｍｍ以上、より好ましくは１ｍｍ以上、さらに好ましくは１．５ｍｍ以上であり、鴨居溝の内側面とガタツキ防止用具１の円弧状可撓部３との摺動を円滑にすることにより、建具を円滑にスライドさせる観点から、好ましくは５ｍｍ以下、より好ましくは３ｍｍ以下、さらに好ましくは２．５ｍｍ以下である。
【００４３】
ガタツキ防止用具１の全幅ｄは、鴨居溝の幅や設定されるガタツキ防止用具１が撓む量によって異なるので一概には決定することができないため、これらに応じて適宜決定することが好ましい。ガタツキ防止用具１の全幅ｄは、通常、好ましくは２０〜３０ｍｍ程度、より好ましくは２２〜２５ｍｍ程度の範囲内で設定することができる。
【００４４】
ガタツキ防止用具１を鴨居溝に挿入するとき、円弧状可撓部３が軽く屈曲して変形するが、その変形は、主として円弧状可撓部３の円弧状の部分で吸収される。また、円弧状可撓部３は、可撓性樹脂で構成されているため、押圧によって容易に変形するが、元の形状に戻ろうとする復元力を有するので、鴨居溝の内側面が摩耗した場合であってもその復元力によって鴨居溝とガタツキ防止用具１との間隙をなくすことから、建具のガタツキが防止される。
【００４５】
円弧状可撓部３の円弧部分の形状は、円弧状であればよく特に限定されないが、例えば、半径が５０〜１００ｍｍの円弧や楕円形状の円弧などが挙げられる。円弧状可撓部３の幅ｐは、その材質によって異なるので一概には決定することができないが、機械的強度を維持するとともに、可撓性を十分に付与する観点から、通常、０．８〜２．５ｍｍ程度、好ましくは１〜２ｍｍ程度であることが望ましい。
【００４６】
図２および図３に示される建具のガタツキ防止用具１では、取付け部２と円弧状可撓部３との間に、可撓性および屈曲性を有する屈曲部４が設けられており、取付け部２と円弧状可撓部３と屈曲部４との各底面が建具の上端部の上面に配設されるように一体成形されている。各円弧状可撓部３の両端は、いずれも屈曲部４の一端と連結されており、各屈曲部４の他端は、いずれも取付け部２に連結されている。
【００４７】
図２および図３に示される建具のガタツキ防止用具１は、可撓性および屈曲性を有する屈曲部４が設けられている点にも、１つの大きな特徴を有する。屈曲部４は、円弧状可撓部３とともに、ガタツキ防止用具１を鴨居溝に挿入するときに生じる変形を吸収するという効果を発現する。
【００４８】
円弧状可撓部３は、主としてその円弧状の部分が円弧の内側方向に撓むことによって変形を吸収する。これに対して、屈曲部４は、主として図２に示される屈曲点４ａ〜４ｃで屈曲することによって変形を吸収する。したがって、図２および図３に示される建具のガタツキ防止用具１は、円弧状可撓部３のみならず、取付け部２と円弧状可撓部３との間に屈曲部４を有するので、長期間の使用で円弧状可撓部３が摩耗した場合であっても、十分な弾力性と復元力を保持することから、図１に示される建具のガタツキ防止用具１と対比して、ガタツキの防止効果をより長期間維持するという利点を有する。
【００４９】
また、屈曲部４は、円弧状可撓部３と同様に、可撓性樹脂で構成されているため、押圧によって容易に変形するが、元の形状に戻ろうとする復元力を有するので、鴨居溝の内側面が摩耗した場合であってもその復元力によって鴨居溝とガタツキ防止用具１との間隙をなくすことから、建具のガタツキをより一層防止する役割を果たす。
【００５０】
図２に示される建具のガタツキ防止用具１における屈曲部４の位置は、屈曲部４と取付け部２における根元から、すなわち屈曲部４と取付け部２との接続部から屈曲点４ｃに至るまでの間である。図２に示される実施態様においては、屈曲点４ａが最も屈曲しやすく、なおかつ復元力が大きい。
【００５１】
屈曲部４に設けられる屈曲点の数は、特に限定されない。屈曲点の数は、多いほどガタツキ防止用具１の全幅ｄ方向への変形が容易となるという利点がある反面、屈曲部４の構造が複雑となることから、２〜５ヵ所程度、好ましくは２〜３ヵ所程度である。
【００５２】
各屈曲点における屈曲角は、特に限定されず、鋭角および鈍角のいずれであってもよい。各屈曲点における屈曲角は、ガタツキ防止用具１を全幅ｄ方向で変形させやすくする観点から、鋭角よりも鈍角であることが好ましい。図２に示される屈曲点４ａは、鈍角をなしているので、変形させやすい構造になっている。
【００５３】
屈曲部４の幅ｑは、その材質などによって異なるので一概には決定することができないが、機械的強度を維持するとともに可撓性を十分に付与する観点から、通常、０．５〜３ｍｍ程度、好ましくは０．８〜２．５ｍｍ程度、より好ましくは１〜２ｍｍ程度であることが望ましい。
【００５４】
図２に示される建具のガタツキ防止用具１の全長ｃは、通常、円弧状可撓部３の長さによって決定されるが、十分な可撓性を発現させるとともに、取り扱い性を高める観点から、好ましくは１０〜１００ｍｍ程度、より好ましくは１５〜６０ｍｍ程度、さらに好ましくは２０〜４０ｍｍ程度である。
【００５５】
本発明の建具のガタツキ防止用具１の厚さは、その材質によって異なるので一概には決定することができないが、機械的強度を維持するとともに可撓性を十分に付与する観点から、好ましくは０．５〜３．５ｍｍ程度、より好ましくは１〜３ｍｍ程度である。
【００５６】
本発明の建具のガタツキ防止用具１を構成している各部材の底面は、建具の上端部の上面に配設されるので、鴨居溝と引き戸の上端部の側面との間隙を埋めることがない。
【００５７】
本発明の建具のガタツキ防止用具１が建具の上端部の上面に配設されるようにするためには、例えば、各部材の底面が同一平面状に存在するようにガタツキ防止用具１を成形すればよい。しかし、図３に示されるような取付け用突起５ｂが設けられている場合には、該取付け用突起５ｂは、取付け用突起５ｂが建具６の上端部の上面７に配設されたガタツキ防止用具１の取付け用孔７ａ内に収容されるように、取付け部２の底面に突出していてもよい。
【００５８】
なお、ガタツキ防止用具１を構成している各部材の底面には、必要により、ガタツキ防止用具１の取付けに支障をきたさない範囲内で凹凸や段差などが設けられていてもよい。
【００５９】
図３に示される本発明の建具のガタツキ防止用具１は、前記したように、その取付け用突起５ｂを建具６の上端部の上面７に配設されたガタツキ防止用具１の取付け用孔７ａ内に挿入することにより、ガタツキ防止用具１を建具６に固定することができる。
【００６０】
一方、図１および図２に示される建具のガタツキ防止用具１は、例えば、図４に示されるように、釘などの取付け具８によって建具６の上端部の上面７に取り付けることによって固定することができる。図４は、図２に示される建具のガタツキ防止用具１を建具６に取り付けたときの概略斜視図である。
【００６１】
図４において、ガタツキ防止用具１は、建具６の上端部の上面７で例えば釘などの取付け具８によって取り付けられている。ガタツキ防止用具１の全幅は、建具６の上端部の上面７の幅よりも大きく、円弧状可撓部３が上面７から幅方向にやや突出している。建具６の上端部を鴨居溝に挿入したとき、円弧状可撓部３は、鴨居溝の内面から矢印Ａ方向に押圧を受けて変形するが、可撓性を有するので、その復元力によって鴨居溝と建具６の上端部の側面との間隙を埋めることから、建具６のガタツキが防止される。
【００６２】
本発明の建具のガタツキ防止用具１は、例えば、射出成形によって製造することができるほか、例えば、図１および図２に示される建具のガタツキ防止用具１では、あらかじめ平板状の樹脂原反を製造し、これに所定形状を有するトムソン型やプレス型などで型抜き加工を施すことによって製造することもできる。このトムソン型やプレス型などを用いた製造法は、これらの型が安価であり、しかも型抜き後に得られる建具のガタツキ防止用具１の寸法精度が比較的高いので、均一な形状を有する建具のガタツキ防止用具１を効率よく製造することができるという利点がある。
【実施例】
【００６３】
次に、本発明を実施例に基づいてさらに詳細に説明するが、本発明は、かかる実施例のみに限定されるものではない。
【００６４】
実施例１
図２に示される形態を有する建具のガタツキ防止用具１（円弧状可撓部３の幅ｐ：１．５ｍｍ、屈曲部４の幅ｑ：１．５ｍｍ、取付け部２の幅ａ：６ｍｍ、取付け部の長さｂ：１４ｍｍ、取付け溝５ａの孔径：２ｍｍ、２つの取付け溝５ａの中心間距離：８ｍｍ、ガタツキ防止用具１の全長ｃ：３０ｍｍ、ガタツキ防止用具１の全幅ｄ：２２ｍｍ、ガタツキ防止用具１の厚さ：２．５ｍｍ）を射出成形により製造した。可撓性樹脂として、ポリアセタールを用いた。
【００６５】
比較例１
外周における長径が３０ｍｍ、短径が２２ｍｍである外周形状を有する楕円形リング部（リング部の幅：１．５ｍｍ）を有し、長径方向のリング部の内側に幅１．５ｍｍの橋渡しが設けられ、中央部分に、取付け溝の開口部の直径が２ｍｍ、２つの取付け溝の中心間距離が８ｍｍである取付け部（幅：６ｍｍ、長さ：１４ｍｍ）を有する建具のガタツキ防止用具（厚さ：２．５ｍｍ）を用意した。
【００６６】
実験例１
実施例１および比較例１の建具のガタツキ防止用具の変形寸法が表１に示す値となるときの変形応力を変形応力測定装置〔(株)東洋精機製作所製、品番：ＳＴＲＯＧＲＲＡＰＨ−ＶＥ５Ｄ〕を用いて測定した。その結果を表１に示す。
【００６７】
【表１】
2008050930.tif 000003
【００６８】
表１に示された結果から、実施例１で得られた建具のガタツキ防止用具は、比較例１の建具のガタツキ防止用具と対比して、変形寸法に対する応力が顕著に低く、十分な柔軟性を備えていることがわかる。
【００６９】
次に、実施例１で得られた建具のガタツキ防止用具を建具に取り付けた後、建具の上部を鴨居溝（鴨居溝の幅：２０ｍｍ）に挿入させようとしたところ、その挿入が容易であり、挿入後に建具を開閉させたが、建具の開閉がスムーズであった。
【００７０】
一方、比較例１の楕円形リング部を有する建具のガタツキ防止用具の変形応力は、実施例１の建具のガタツキ防止用具の変形応力と対比して約６倍以上であり、楕円形リング部を撓らせるためには、実施例１の建具のガタツキ防止用具よりもかなりの力が必要であることがわかる。実際に、この楕円形リング部を有する建具のガタツキ防止用具を建具に取り付けて建具の上部を鴨居溝（鴨居溝の幅：２０ｍｍ）に嵌合させようとしたが、嵌合させること自体が難しく、無理に鴨居溝に嵌合させたところ、建具のスムーズな開閉が困難であった。
【００７１】
実験例２
実施例１で得られた建具のガタツキ防止用具(全幅ｄ：２２ｍｍ)を、３ＬＤＫのマンション住居内のリビングルームと和室との間に間仕切り扉として取り付けられている横引き式の引き違い戸襖２枚の上端部の上面に、それぞれ２個ずつ釘で取り付けた。なお、戸襖のリビングルーム側は、洋風の壁紙仕上げで、和室側は襖紙仕上げとなっている。
【００７２】
次に、この戸襖の上部を鴨居（鴨居溝の幅：２１ｍｍ）に据え付け、下部を敷居に据え付けた後、戸襖を締めるとともに、室内やベランダなどの室内の扉をすべて締め切り、住居部を密閉状態とした。その後、廊下からリビングに入るところに設けられている室内向きに開閉する片開き扉を開閉することにより、戸襖のガタツキによる発生音を測定した。
【００７３】
なお、ガタツキによる発生音は、以下の測定方法により、測定した。
〔ガタツキによる発生音の測定方法〕
ガタツキ音の計測は、暗騒音の少ない午前０時に実施した。騒音計〔(株)小野測器製、騒音計ＬＡ−２１０〕をリビングルームと和室の間の戸襖から和室側に１ｍｍ離して床から高さ８０ｃｍの位置（戸襖の中央付近）に設置し、スタンドで固定した。
【００７４】
まず、騒音計の計測モードをピーク計測モードとし、戸襖を完全に閉め、リビングの出入り口にある片開き扉も閉めた状態での騒音（暗騒音）を測定した。
【００７５】
次に、リビングの出入り口にある片開き扉を開閉させたときの戸襖のガタツキ音（実騒音）を測定した。計測レンジは、３０ｄＢから７０ｄＢまでとした。発生音は、実騒音の計測値から暗騒音の計測値を減じることによって求めた。なお、各計測値は、騒音のピークレベルでの計測値である。
【００７６】
一方、対照実験として、実施例１で得られた建具のガタツキ防止用具が取り付けられていない状態で、上記と同様にして暗騒音および実騒音を測定し、前記と同様にして発生音を求めた。以上の結果を表２に示す。
【００７７】
【表２】
2008050930.tif 000004
【００７８】
表２に示された結果から、建具のガタツキ防止用具が戸襖に取り付けられていない場合には、平均で１１．６ｄＢの騒音が発生したが、この騒音は、深夜ではかなり大きい音として感じられる音量である。
【００７９】
これに対して、実施例１で得られた建具のガタツキ防止用具が戸襖に取り付けられている場合には、建具のガタツキ防止用具が戸襖に取り付けられていない場合と対比して、騒音を半減以下に低減させることができることがわかる。また、実施例１で得られた建具のガタツキ防止用具が戸襖に取り付けられている場合には、平均で４．２ｄＢ程度の騒音が発生したが、この騒音は、ほとんど気にならない程度の音量である。
【００８０】
以上の結果から、本発明の建具のガタツキ防止用具を取り付けた場合には、大きなガタツキ音をほとんど気にならない程度にまで著しく低減させることができることがわかる。
【図面の簡単な説明】
【００８１】
【図１】本発明の建具のガタツキ防止用具の一実施態様を示す概略平面図である。
【図２】本発明の建具のガタツキ防止用具の他の一実施態様を示す概略平面図である。
【図３】本発明の建具のガタツキ防止用具の他の一実施態様を示す概略斜視図である。
【図４】本発明の建具のガタツキ防止用具が建具に取り付けられている状態における概略斜視図である。
【符号の説明】
【００８２】
１    建具のガタツキ防止用具
２    取付け部
３    円弧状可撓部
４    屈曲部
【図３】
2008050930.tif 000005
【図１】
2008050930.tif 000006
【図２】
2008050930.tif 000007
【図４】
2008050930.tif 000008